(57)【要約】【課題】番組視聴中に、通常再生から特殊再生に再生状態が切り替えられた前後において、再生される映像ストリームが同一となるＤ−ＶＨＳ内蔵デジタル放送受信装置を提供する。【解決手段】制御部は、パーシャルＴＳを入力として受ける。制御部は、入力されたパーシャルＴＳからＰＭＴを抽出する。制御部は、抽出したＰＭＴから映像ストリームに関するＥＳ関連情報のみを抽出する。制御部は、特殊再生用ＰＭＴに必要な情報以外（ストリーム識別を含む）を除去する。制御部は、ＥＳ関連情報に記述されているストリーム識別の値の小さい順に、ＥＳ関連情報を並び替えて特殊再生用ＰＭＴを作成する。制御部は、特殊再生用ストリームに特殊再生用ＰＭＴを多重する。制御部は、パーシャルＴＳおよび特殊再生用ストリームを記録する。【選択図】　　　　図２
2004007614.tif 000002
【特許請求の範囲】
【請求項１】
入力されたトランスポートストリームに基づき、パーシャルトランスポートストリームと特殊再生用ストリームとを作成して記録するトランスポートストリーム記録装置であって、
トランスポートストリームを入力する手段と、
前記トランスポートストリームに基づき、パーシャルトランスポートストリームを作成する手段と、
前記トランスポートストリームおよび前記パーシャルトランスポートストリームのいずれかに含まれるプログラムマップテーブルに基づき、当該プログラムマップテーブルに含まれる映像ストリーム情報からストリーム識別子を除去したうえで、除去したストリーム識別子の値の順に前記映像ストリーム情報を並べることにより、特殊再生用ストリームに含まれるプログラムマップテーブルを作成するプログラムマップテーブル作成手段と、
前記トランスポートストリームおよび前記パーシャルトランスポートストリームの少なくとも一方と、前記プログラムマップテーブル作成手段により作成されたプログラムマップテーブルとに基づき、特殊再生用ストリームを作成する手段と、
前記パーシャルトランスポートストリームと、前記特殊再生用ストリームとを記録する手段とを備える、トランスポートストリーム記録装置。
【請求項２】
入力された特殊再生用ストリームに含まれる映像ストリームを再生するトランスポートストリーム再生装置であって、
パーシャルトランスポートストリームを入力する手段と、
入力されたパーシャルトランスポートストリームに含まれるプログラムマップテーブルから、パケット識別子とストリーム識別子との対応関係を抽出して記憶する手段と、
パケット識別子を含むがストリーム識別子を含まないプログラムマップテーブルを含む特殊再生用ストリームを入力する手段と、
ストリーム識別子の値の指定を受け、記憶した前記対応関係に基づきパケット識別子の値を取得する手段と、
取得されたパケット識別子の値に基づき、特殊再生用ストリームに含まれる一つの映像ストリームを選択する手段と、
選択された映像ストリームを再生する手段とを備える、トランスポートストリーム再生装置。
【請求項３】
入力されたトランスポートストリームに基づき、パーシャルトランスポートストリームを作成するトランスポートストリーム処理装置であって、
トランスポートストリームを入力する手段と、
前記トランスポートストリームに含まれるプログラムマップテーブルに基づき、当該プログラムマップテーブルに含まれる映像ストリーム情報を、ストリーム識別子の値の順に並べることにより、パーシャルトランスポートストリームに含まれるプログラムマップテーブルを作成する第１のプログラムマップテーブル作成手段と、
前記トランスポートストリームと、前記第１のプログラムマップテーブル作成手段により作成されたプログラムマップテーブルとに基づき、パーシャルトランスポートストリームを作成する手段とを備える、トランスポートストリーム処理装置。
【請求項４】
前記パーシャルトランスポートストリームに含まれるプログラムマップテーブルに基づき、当該プログラムマップテーブルに含まれる映像ストリーム情報からストリーム識別子を除去したうえで、前記映像ストリーム情報が当該プログラムマップテーブルに含まれる順を維持して、特殊再生用ストリームに含まれるプログラムマップテーブルを作成する第２のプログラムマップテーブル作成手段と、
前記パーシャルトランスポートストリームと、前記第２のプログラムマップテーブル作成手段により作成されたプログラムマップテーブルとに基づき、特殊再生用ストリームを作成する手段とをさらに備える、請求項３に記載のトランスポートストリーム処理装置。
【請求項５】
入力されたパーシャルトランスポートストリームに基づき、特殊再生用ストリームを作成するトランスポートストリーム処理装置であって、
請求項３に記載のトランスポートストリーム処理装置により作成されたパーシャルトランスポートストリームを入力する手段と、
前記パーシャルトランスポートストリームに含まれ、かつ、映像ストリーム情報がストリーム識別子の値の順に並んだプログラムマップテーブルに基づき、当該プログラムマップテーブルに含まれる映像ストリーム情報からストリーム識別子を除去したうえで、前記映像ストリーム情報が当該プログラムマップテーブルに含まれる順を維持して、特殊再生用ストリームに含まれるプログラムマップテーブルを作成するプログラムマップテーブル作成手段と、
前記パーシャルトランスポートストリームと、前記プログラムマップテーブル作成手段により作成されたプログラムマップテーブルとに基づき、特殊再生用ストリームを作成する手段とを備える、トランスポートストリーム処理装置。
【請求項６】
入力されたパーシャルトランスポートストリームに基づき、特殊再生用ストリームを作成するトランスポートストリーム処理装置であって、
パーシャルトランスポートストリームを入力する手段と、
前記パーシャルトランスポートストリームに含まれるプログラムマップテーブルに基づき、当該プログラムマップテーブルに含まれる映像ストリーム情報からストリーム識別子を除去したうえで、除去したストリーム識別子の値の順に前記映像ストリーム情報を並べることにより、特殊再生用ストリームに含まれるプログラムマップテーブルを作成するプログラムマップテーブル作成手段と、
前記パーシャルトランスポートストリームと、前記プログラムマップテーブル作成手段により作成されたプログラムマップテーブルとに基づき、特殊再生用ストリームを作成する手段とを備える、トランスポートストリーム処理装置。
【請求項７】
入力されたトランスポートストリームに基づき、パーシャルトランスポートストリームと特殊再生用ストリームとを作成して記録するトランスポートストリーム記録方法であって、
トランスポートストリームを入力するステップと、
前記トランスポートストリームに基づき、パーシャルトランスポートストリームを作成するステップと、
前記トランスポートストリームおよび前記パーシャルトランスポートストリームのいずれかに含まれるプログラムマップテーブルに基づき、当該プログラムマップテーブルに含まれる映像ストリーム情報からストリーム識別子を除去したうえで、除去したストリーム識別子の値の順に前記映像ストリーム情報を並べることにより、特殊再生用ストリームに含まれるプログラムマップテーブルを作成するプログラムマップテーブル作成ステップと、
前記トランスポートストリームおよび前記パーシャルトランスポートストリームの少なくとも一方と、前記プログラムマップテーブル作成ステップにより作成されたプログラムマップテーブルとに基づき、特殊再生用ストリームを作成するステップと、
前記パーシャルトランスポートストリームと、前記特殊再生用ストリームとを記録するステップとを備える、トランスポートストリーム記録方法。
【請求項８】
入力された特殊再生用ストリームに含まれる映像ストリームを再生するトランスポートストリーム再生方法であって、
パーシャルトランスポートストリームを入力するステップと、
入力されたパーシャルトランスポートストリームに含まれるプログラムマップテーブルから、パケット識別子とストリーム識別子との対応関係を抽出して記憶するステップと、
パケット識別子を含むがストリーム識別子を含まないプログラムマップテーブルを含む特殊再生用ストリームを入力するステップと、
ストリーム識別子の値の指定を受け、記憶した前記対応関係に基づきパケット識別子の値を取得するステップと、
取得されたパケット識別子の値に基づき、特殊再生用ストリームに含まれる一つの映像ストリームを選択するステップと、
選択された映像ストリームを再生するステップとを備える、トランスポートストリーム再生方法。
【請求項９】
入力されたトランスポートストリームに基づき、パーシャルトランスポートストリームを作成するトランスポートストリーム処理方法であって、
トランスポートストリームを入力するステップと、
前記トランスポートストリームに含まれるプログラムマップテーブルに基づき、当該プログラムマップテーブルに含まれる映像ストリーム情報を、ストリーム識別子の値の順に並べることにより、パーシャルトランスポートストリームに含まれるプログラムマップテーブルを作成する第１のプログラムマップテーブル作成ステップと、
前記トランスポートストリームと、前記第１のプログラムマップテーブル作成ステップにより作成されたプログラムマップテーブルとに基づき、パーシャルトランスポートストリームを作成するステップとを備える、トランスポートストリーム処理方法。
【請求項１０】
前記パーシャルトランスポートストリームに含まれるプログラムマップテーブルに基づき、当該プログラムマップテーブルに含まれる映像ストリーム情報からストリーム識別子を除去したうえで、前記映像ストリーム情報が当該プログラムマップテーブルに含まれる順を維持して、特殊再生用ストリームに含まれるプログラムマップテーブルを作成する第２のプログラムマップテーブル作成ステップと、
前記パーシャルトランスポートストリームと、前記第２のプログラムマップテーブル作成ステップにより作成されたプログラムマップテーブルとに基づき、特殊再生用ストリームを作成するステップとをさらに備える、請求項９に記載のトランスポートストリーム処理方法。
【請求項１１】
入力されたパーシャルトランスポートストリームに基づき、特殊再生用ストリームを作成するトランスポートストリーム処理方法であって、
請求項９に記載のトランスポートストリーム処理方法により作成されたパーシャルトランスポートストリームを入力するステップと、
前記パーシャルトランスポートストリームに含まれ、かつ、映像ストリーム情報がストリーム識別子の値の順に並んだプログラムマップテーブルに基づき、当該プログラムマップテーブルに含まれる映像ストリーム情報からストリーム識別子を除去したうえで、前記映像ストリーム情報が当該プログラムマップテーブルに含まれる順を維持して、特殊再生用ストリームに含まれるプログラムマップテーブルを作成するプログラムマップテーブル作成ステップと、
前記パーシャルトランスポートストリームと、前記プログラムマップテーブル作成手段により作成されたプログラムマップテーブルとに基づき、特殊再生用ストリームを作成するステップとを備える、トランスポートストリーム処理方法。
【請求項１２】
入力されたパーシャルトランスポートストリームに基づき、特殊再生用ストリームを作成するトランスポートストリーム処理方法であって、
パーシャルトランスポートストリームを入力するステップと、
前記パーシャルトランスポートストリームに含まれるプログラムマップテーブルに基づき、当該プログラムマップテーブルに含まれる映像ストリーム情報からストリーム識別子を除去したうえで、除去したストリーム識別子の値の順に前記映像ストリーム情報を並べることにより、特殊再生用ストリームに含まれるプログラムマップテーブルを作成するプログラムマップテーブル作成ステップと、
前記パーシャルトランスポートストリームと、前記プログラムマップテーブル作成ステップにより作成されたプログラムマップテーブルとに基づき、特殊再生用ストリームを作成するステップとを備える、トランスポートストリーム処理方法。
【請求項１３】
コンピュータに、入力されたトランスポートストリームに基づき、パーシャルトランスポートストリームと特殊再生用ストリームとを作成させて記録させるためのプログラムであって、
トランスポートストリームを入力するステップと、
前記トランスポートストリームに基づき、パーシャルトランスポートストリームを作成するステップと、
前記トランスポートストリームおよび前記パーシャルトランスポートストリームのいずれかに含まれるプログラムマップテーブルに基づき、当該プログラムマップテーブルに含まれる映像ストリーム情報からストリーム識別子を除去したうえで、除去したストリーム識別子の値の順に前記映像ストリーム情報を並べることにより、特殊再生用ストリームに含まれるプログラムマップテーブルを作成するプログラムマップテーブル作成ステップと、
前記トランスポートストリームおよび前記パーシャルトランスポートストリームの少なくとも一方と、前記プログラムマップテーブル作成ステップにより作成されたプログラムマップテーブルとに基づき、特殊再生用ストリームを作成するステップと、
前記パーシャルトランスポートストリームと、前記特殊再生用ストリームとを記憶手段に記録させるステップとをコンピュータに実行させる、プログラム。
【請求項１４】
コンピュータに、入力された特殊再生用ストリームに含まれる映像ストリームを再生させる再生プログラムであって、
パーシャルトランスポートストリームを入力するステップと、
入力されたパーシャルトランスポートストリームに含まれるプログラムマップテーブルから、パケット識別子とストリーム識別子との対応関係を抽出して記憶するステップと、
パケット識別子を含むがストリーム識別子を含まないプログラムマップテーブルを含む特殊再生用ストリームを入力するステップと、
ストリーム識別子の値の指定を受け、記憶した前記対応関係に基づきパケット識別子の値を取得するステップと、
取得されたパケット識別子の値に基づき、特殊再生用ストリームに含まれる一つの映像ストリームを選択するステップと、
選択された映像ストリームを再生手段を用いて再生するステップとをコンピュータに実行させる、プログラム。
【請求項１５】
コンピュータに、入力されたトランスポートストリームに基づき、パーシャルトランスポートストリームを作成させるプログラムであって、
トランスポートストリームを入力するステップと、
前記トランスポートストリームに含まれるプログラムマップテーブルに基づき、当該プログラムマップテーブルに含まれる映像ストリーム情報を、ストリーム識別子の値の順に並べることにより、パーシャルトランスポートストリームに含まれるプログラムマップテーブルを作成する第１のプログラムマップテーブル作成ステップと、
前記トランスポートストリームと、前記第１のプログラムマップテーブル作成ステップにより作成されたプログラムマップテーブルとに基づき、パーシャルトランスポートストリームを作成するステップとをコンピュータに実行させる、プログラム。
【請求項１６】
前記パーシャルトランスポートストリームに含まれるプログラムマップテーブルに基づき、当該プログラムマップテーブルに含まれる映像ストリーム情報からストリーム識別子を除去したうえで、前記映像ストリーム情報が当該プログラムマップテーブルに含まれる順を維持して、特殊再生用ストリームに含まれるプログラムマップテーブルを作成する第２のプログラムマップテーブル作成ステップと、
前記パーシャルトランスポートストリームと、前記第２のプログラムマップテーブル作成ステップにより作成されたプログラムマップテーブルとに基づき、特殊再生用ストリームを作成するステップとをコンピュータにさらに実行させる、請求項１５に記載のプログラム。
【請求項１７】
コンピュータに、入力されたパーシャルトランスポートストリームに基づき、特殊再生用ストリームを作成させるプログラムであって、
請求項１５に記載のプログラムがコンピュータに作成させたパーシャルトランスポートストリームを入力するステップと、
前記パーシャルトランスポートストリームに含まれ、かつ、映像ストリーム情報がストリーム識別子の値の順に並んだプログラムマップテーブルに基づき、当該プログラムマップテーブルに含まれる映像ストリーム情報からストリーム識別子を除去したうえで、前記映像ストリーム情報が当該プログラムマップテーブルに含まれる順を維持して、特殊再生用ストリームに含まれるプログラムマップテーブルを作成するプログラムマップテーブル作成ステップと、
前記パーシャルトランスポートストリームと、前記プログラムマップテーブル作成手段により作成されたプログラムマップテーブルとに基づき、特殊再生用ストリームを作成するステップとをコンピュータに実行させる、プログラム。
【請求項１８】
コンピュータに、入力されたパーシャルトランスポートストリームに基づき、特殊再生用ストリームを作成させるプログラムであって、
パーシャルトランスポートストリームを入力するステップと、
前記パーシャルトランスポートストリームに含まれるプログラムマップテーブルに基づき、当該プログラムマップテーブルに含まれる映像ストリーム情報からストリーム識別子を除去したうえで、除去したストリーム識別子の値の順に前記映像ストリーム情報を並べることにより、特殊再生用ストリームに含まれるプログラムマップテーブルを作成するプログラムマップテーブル作成ステップと、
前記パーシャルトランスポートストリームと、前記プログラムマップテーブル作成ステップにより作成されたプログラムマップテーブルとに基づき、特殊再生用ストリームを作成するステップとをコンピュータに実行させる、プログラム。
【請求項１９】
請求項１３から請求項１８までのいずれかに記載のプログラムを記録した、コンピュータ読み取り可能な記録媒体。
【発明の詳細な説明】
【０００１】
【発明の属する技術分野】
本発明は、入力されたトランスポートストリームに基づきパーシャルトランスポートストリームと特殊再生用ストリームとを作成して記録する装置、入力されたパーシャルトランスポートストリームと特殊再生用ストリームとを再生する装置、入力されたトランスポートストリームに基づきパーシャルトランスポートストリームを作成する装置、入力されたパーシャルトランスポートストリームに基づき特殊再生用ストリームを作成する装置、およびこれらを行う方法に関する。
【０００２】
【従来の技術】
映像や音声の記録再生装置は、記録した映像や音声を記録時と同じ速度かつ同じ順序で再生する通常再生機能に加えて、記録した映像や音声を記録時よりも速い（あるいは遅い）速度で再生したり、記録時と逆の順序で再生したりする特殊再生機能を有することが必要とされる。例えば、従来のＶＨＳビデオ装置では、映像や音声は、アナログ信号として記録されている。このようなアナログ方式の記録再生装置では、記録した信号を高速で読み出すことさえできれば、早送り再生や巻き戻し再生などの特殊再生は、比較的容易に実現できる。
【０００３】
これに対して、デジタル方式の記録再生装置において、早送り再生や巻き戻し再生などの特殊再生を行うためには、記録した信号を高速で読み出すことに加えて、読み出した信号に基づき映像や音声を復元するデジタル信号処理を高速に行うことが必要とされる。このデジタル信号処理には膨大な処理能力が必要とされるので、上記の方法でデジタル方式の記録再生装置における特殊再生を行うことは現実的ではない。
【０００４】
そこで、デジタル方式の記録再生装置では、映像や音声のストリームを記録するときに、元のストリームに基づき特殊再生時に使用されるストリーム（以下「特殊再生用ストリーム」と称する。）を作成し、元のストリームと特殊再生用ストリームとの両方を記録する方法が用いられる。
【０００５】
デジタル方式の記録再生装置の一例として、デジタル放送を記録し再生するＤ−ＶＨＳビデオ装置が知られている。Ｄ−ＶＨＳビデオ装置は、次のようにしてデジタル放送受信装置から出力されたストリームを記録する。デジタル放送では、ＭＰＥＧ２（Ｍｏｖｉｎｇ　Ｐｉｃｔｕｒｅ　Ｅｘｐｅｒｔｓ　Ｇｒｏｕｐ２）方式に基づき複数の映像データと複数の音声データとが符号化され、放送局からは、符号化結果である複数の映像ストリームと複数の音声ストリームとを時分割多重して得られたトランスポートストリーム（Ｔｒａｎｓｐｏｒｔ　Ｓｔｒｅａｍ；以下、ＴＳと略称する。）が放送される。以下、デジタル放送におけるＴＳをデジタル放送ストリームと称する。
【０００６】
デジタル放送受信装置は、放送局から放送されたデジタル放送ストリームを受信し、受信したデジタル放送ストリームに含まれる複数の映像ストリームと複数の音声ストリームの中から、ＩＥＥＥ１３９４規格に従った通信が可能となる形式を有し、映像ストリームおよび音声ストリームを含むストリーム（以下、「パーシャルＴＳ」と称する。）を作成して出力する。パーシャルＴＳとは、受信されたＴＳから、所定のＴＳパケット抽出して得られるＴＳである。パーシャルＴＳの詳細は、例えば社団法人電波産業界により規格化された、デジタル放送用受信装置標準規格（望ましい仕様）（規格番号：ＡＲＩＢ　ＳＴＤ−Ｂ２１）に記載されている。
【０００７】
Ｄ−ＶＨＳビデオ装置は、デジタル放送受信装置から出力されたパーシャルＴＳを記録する。この際、特殊再生機能をサポートするために、Ｄ−ＶＨＳビデオ装置は、デジタル放送受信装置から出力されたパーシャルＴＳに基づき特殊再生用ストリームを作成し、パーシャルＴＳと特殊再生用ストリームとの両方を記録する。
【０００８】
この場合の特殊再生用ストリームとは、高速再生を可能とするために、パーシャルＴＳの一部を削除したストリームであり、パーシャルＴＳと同じ形式を有する。例えば、通常再生用ストリームに含まれる映像ストリームから、ＭＰＥＧ方式で規定されたＩフレーム（フレーム内で圧縮処理が可能なフレーム）だけを抽出したストリームや、元の映像データから例えば所定数毎のフレームの映像データを抽出し、その結果をＭＰＥＧ２方式で圧縮したストリームなどが、特殊再生用ストリームとなり得る。
【０００９】
このようにデジタル放送受信装置とＤ−ＶＨＳビデオ装置とを組み合わせたシステムでは、デジタル放送受信装置において、受信したＴＳに基づきパーシャルＴＳを作成する処理が行われ、Ｄ−ＶＨＳビデオ装置において、作成されたパーシャルＴＳに基づき、特殊再生用ストリームを作成する処理が行われる。この点は、デジタル放送受信装置とＤ−ＶＨＳビデオ装置とを一体化して構成されたＤ−ＶＨＳ内蔵デジタル放送受信装置においても同じである。
【００１０】
従来のＤ−ＶＨＳ内蔵デジタル放送受信装置としては、例えば、特許文献１に記載された装置が知られている。従来のＤ−ＶＨＳ内蔵デジタル放送受信装置が、受信したデジタル放送ストリームに含まれる映像ストリームを再生または記録する場合の処理、および記録した映像ストリームを再生する場合の処理を説明する。
【００１１】
なお、以下に示す図１３、図１４および図１６において、ＣＰＵ１０７は、Ｄ−ＶＨＳ内蔵デジタル放送受信装置５００全体に対する制御を行う。フラッシュＲＯＭ１０８は、ＣＰＵ１０７によって実行されるプログラムなどを記憶する。メインＲＡＭ１０９は、ＣＰＵ１０７が処理を行う際に作業用に利用する記憶部である。
【００１２】
図１３は、従来のＤ−ＶＨＳ内蔵デジタル放送受信装置が、受信したデジタル放送ストリームに含まれる映像ストリームを再生する場合のデータの流れを示す図である。以下、図１３を用いて本データの流れを説明する。
【００１３】
Ｄ−ＶＨＳ内蔵デジタル放送受信装置５００は、まず、デジタル放送ストリーム３０で変調された電波を受信する。チューナ１０１は、受信された電波のうち所望の周波数を選択する。復調部１０２は、選択された周波数の電波を復調し、スクランブルされた状態のデジタル放送ストリーム３０を出力する。デスクランブラ１０３は、スクランブルされた状態のデジタル放送ストリーム３０に対して、スクランブル解除する処理を行う。但し、復調部１０２において復調されたデジタル放送ストリーム３０がスクランブルされていない場合、デスクランブラ１０３における処理は不要である。
【００１４】
トランスポート・デコーダ５０４は、デスクランブラ１０３から出力されたデジタル放送ストリーム３０から、音声ストリーム３３、映像ストリーム３４、データストリーム、ＰＭＴ（Ｐｒｏｇｒａｍ　Ｍａｐ　Ｔａｂｌｅ）、およびその他の情報を抽出する。音声デコーダ１０５は、トランスポート・デコーダ５０４で抽出された音声ストリーム３３に基づき、音声を再生する。スピーカ１１３は、音声デコーダ１０５で再生された音声を出力する。画像デコーダ１０６は、トランスポート・デコーダ５０４で抽出された映像ストリーム３４に基づき、映像を再生する。モニタ１１４は、画像デコーダ１０６で再生された映像を出力する。
【００１５】
図１４は、従来のＤ−ＶＨＳ内蔵デジタル放送受信装置において、受信したデジタル放送ストリームに含まれる映像ストリームが、記録部であるデジタルＶＨＳビデオ装置（以下「Ｄ−ＶＨＳ装置」と称する。）に記録される場合のデータの流れを示す図である。以下、図１４を用いて本データの流れを説明する。
【００１６】
図１４において、デジタル放送ストリーム３０がトランスポート・デコーダ５０４に到達するまでのデータの流れは、図１３を用いて説明したとおりである。
【００１７】
トランスポート・デコーダ５０４は、デスクランブラ１０３から出力されたデジタル放送ストリーム３０に基づき、パーシャルＴＳ３１を作成する。パーシャルＴＳ３１は、例えばＩＥＥＥ１３９４規格に基づく通信手段であるデジタルＩ／Ｆ１１５を経て、制御部５１２に入力される。制御部５１２は、パーシャルＴＳ３１をそのままＤ−ＶＨＳ装置１１６に記録させる。これとともに、制御部５１２は、パーシャルＴＳ３１に基づき特殊再生用ストリーム３２を作成し、作成した特殊再生用ストリーム３２をＤ−ＶＨＳ装置１１６に記録させる。
【００１８】
図１５は、従来のＤ−ＶＨＳ内蔵デジタル放送受信装置において、Ｄ−ＶＨＳ装置に装着された記録メディア（テープ）に、パーシャルＴＳと特殊再生用ストリームが記録されている状態の例を模式的に示す図である。図１５に示す例では、記録メディアの映像および音声ストリームを記録するヘリカルトラック５５０は、Ｍａｉｎ−ｃｏｄｅ領域５５１とＳｕｂ−ｃｏｄｅ領域５５２とを含む。パーシャルＴＳは、Ｍａｉｎ−ｃｏｄｅ領域５５１に記録される。特殊再生用ストリームは、Ｓｕｂ−ｃｏｄｅ領域５５２に記録される。なお、音声トラック５５３には、アナログ音声が記録される。コントロールトラック５５４には、制御信号が記録される。各記録は、矢印５５５の方向にされる。
【００１９】
図１６は、従来のＤ−ＶＨＳ内蔵デジタル放送受信装置が、Ｄ−ＶＨＳに記録された映像ストリームを再生する場合のデータの流れを示す図である。以下、図１６を用いて本データの流れを説明する。
【００２０】
制御部５１２は、パーシャルＴＳ３１と特殊再生用ストリーム３２とを記録しているＤ−ＶＨＳ装置１１６から、通常再生時にはパーシャルＴＳ３１を、特殊再生時には特殊再生用ストリーム３２を読み出す。読み出されたパーシャルＴＳ３１または特殊再生用ストリーム３２は、デジタルＩ／Ｆ１１５を経てトランスポート・デコーダ５０４に入力される。
【００２１】
トランスポート・デコーダ５０４は、入力された特殊再生用ストリーム３２またはパーシャルＴＳ３１から、音声ストリーム３５、映像ストリーム３６、データストリーム、ＰＭＴ、およびその他の情報を抽出する。音声デコーダ１０５は、トランスポート・デコーダ５０４で抽出された音声ストリーム３５に基づき、音声を再生する。スピーカ１１３は、音声デコーダ１０５で再生された音声を出力する。画像デコーダ１０６は、トランスポート・デコーダ５０４で抽出された映像ストリーム３６に基づき、映像を再生する。モニタ１１４は、画像デコーダ１０６で再生された映像を出力する。
【００２２】
なお、通常再生時には、映像ストリームのみでなく、音声ストリームやデータストリームも再生の対象となるが、特殊再生時においては映像ストリームのみが再生の対象となる。以下の説明では、特殊再生時における映像ストリームの再生についてのみ説明を行い、音声ストリームおよびデータストリームの再生については説明を省略する。
【００２３】
図１７は、従来のＤ−ＶＨＳ内蔵デジタル放送受信装置が作成および記録するパーシャルＴＳおよび特殊再生用ストリームの構造の例を模式的に示す図である。パーシャルＴＳと、特殊再生用ストリームとは、同じ構造を有する。
【００２４】
通常、パーシャルＴＳおよび特殊再生用ストリームが提供するサービスは、プログラムアソシエーションテーブル（以下「ＰＡＴ」と称する。）に記述される。ＰＡＴは、パケット識別（以下「ＰＩＤ」と称する。）が「０（ゼロ）」であるＰＡＴパケットに格納される。本例では、ＰＡＴパケット５８１に格納されたＰＡＴに記述されているように、パーシャルＴＳおよび特殊再生用ストリームは、サービス識別（ＳＩＤ：ｓｅｒｖｉｃｅ＿ｉｄ）（以下「ＳＩＤ」と称する。）が「ａ」または「ｂ」である２つのサービスを提供する。
【００２５】
通常、各サービスは、複数の映像ストリームや音声ストリーム、データストリームといったエレメンタリーストリーム（以下「ＥＳ」と称する。）により構成される。各サービスを構成するＥＳを識別するストリーム識別は、プログラムマップテーブル（以下「ＰＭＴ」と称する。）に記述される。ＰＭＴは、各サービスのＳＩＤが記述されたＰＭＴパケットに格納される。
【００２６】
本例では、ＰＭＴパケット５８２に格納されたＰＭＴに記述されているように、サービス「ａ」は、６つのＥＳ、すなわち、ＭＰＥＧ２の映像ストリームであるＶｉｄｅｏＣ、ＶｉｄｅｏＤ、およびＶｉｄｅｏＥと、ＭＰＥＧ２の音声ストリームであるＡｕｄｉｏＦおよびＡｕｄｉｏＧと、データストリームであるＤａｔａＨとにより構成され、サービス「ｂ」は、３つのＥＳ、すなわち、ＭＰＥＧ２の映像ストリームであるＶｉｄｅｏＪと、ＭＰＥＧ２の音声ストリームであるＡｕｄｉｏＫと、データストリームであるＤａｔａＭとにより構成されている。
【００２７】
通常、各サービスを構成する各ＥＳが格納されるＥＳパケットは、それぞれ固有のＰＩＤ（以下「ＥＳ＿ＰＩＤ」と称する。）を有する。本例では、ＥＳパケット５８３に記述されているように、サービス「ａ」においては、ＶｉｄｅｏＣ、ＶｉｄｅｏＤ、ＶｉｄｅｏＥ、ＡｕｄｉｏＦ、ＡｕｄｉｏＧ、およびＤａｔａＨを格納するパケットのＥＳ＿ＰＩＤは、それぞれ、「ｃ」、「ｄ」、「ｅ」、「ｆ」、「ｇ」、および「ｈ」である。サービス「ｂ」においては、ＶｉｄｅｏＪ、ＡｕｄｉｏＫ、およびＤａｔａＭを格納するパケットのＥＳ＿ＰＩＤは、それぞれ、「ｊ」、「ｋ」、および「ｍ」である。
【００２８】
図１８は、従来のＤ−ＶＨＳ内蔵デジタル放送受信装置において作成される、通常再生に利用されるパーシャルＴＳに含まれるＰＭＴ（以下「通常再生用ＰＭＴ」と称する。）の構造（図１８（ａ））と、高速再生に利用される特殊再生用ストリームに含まれるＰＭＴ（以下「特殊再生用ＰＭＴ」と称する。）の構造（図１８（ｂ））とを例示する。なお、英字の表記は、ＡＲＩＢ　ＳＴＤ−Ｂ２１に基づく表記である。また、０ｘと表記された後に続く英数字は、１６進数で表された数である。
【００２９】
通常、図１８（ａ）および（ｂ）に示すように、通常再生用ＰＭＴ５６１および特殊再生用ＰＭＴ５６２には、ｔａｂｌｅ＿ｉｄ、ｐｒｏｇｒａｍ＿ｎｕｍｂｅｒ、およびその他の情報が記述される。ｔａｂｌｅ＿ｉｄには、記述内容がＰＭＴであることを示す０ｘ０２が記述される。ｐｒｏｇｒａｍ＿ｎｕｍｂｅｒには、本ＰＭＴに記述されるＥＳを含んで構成されるサービスのサービス識別が記述される。
【００３０】
さらに、通常再生用ＰＭＴ５６１および特殊再生用ＰＭＴ５６２には、各ＥＳ毎に、ＥＳに関する情報（以下「ＥＳ関連情報」と称する。）５６３が記述されている。通常再生用ＰＭＴ５６１および特殊再生用ＰＭＴ５６２の各ＥＳ関連情報には、映像ストリームや音声ストリームなどのＥＳの種別（ｓｔｒｅａｍ＿ｔｙｐｅ）と、各ＥＳを格納するパケットを示すパケット識別（ＥＳ＿ＰＩＤ）とが共通に記述される。
【００３１】
また、通常再生用ＰＭＴ５６１には、ストリーム識別が記述される。ストリーム識別は、各ＥＳを識別する識別子であり、値が０ｘ５２であるｄｅｓｃｒｉｐｔｏｒ＿ｔａｇと、ストリーム識別自体を記述するｃｏｍｐｏｎｅｎｔ＿ｔａｇなどを用いて、ストリーム識別情報５６７に記述される。
【００３２】
ところが、通常、特殊再生用ＰＭＴには、ストリーム識別は記述されない。その理由は、特殊再生時には、Ｄ−ＶＨＳ内蔵デジタル放送受信装置の処理負荷が大きいので、特殊再生時の処理を簡略化する必要があるため、特殊再生用ＰＭＴには、必要最小限の要素だけを記述することが好ましいからである。
【００３３】
図１８に示される例では、通常再生用ＰＭＴ５６１には、映像ストリームに関するＥＳ関連情報（映像ストリーム情報）５６４と、音声ストリームに関するＥＳ関連情報（音声ストリーム情報）５６５とが抜粋して記述されている。映像ストリーム情報５６４に含まれるストリームの種別の値は０ｘ０２であり、音声ストリーム情報５６５に含まれるストリームの種別の値は０ｘ０Ｆである。また、特殊再生用ＰＭＴ５６２には映像ストリーム情報５６６が抜粋して記述されている。映像ストリーム情報５６４に含まれるストリームの種別の値は０ｘ０２である。ＰＭＴや各ＥＳ関連情報には、その他多くの情報が記述されるが、本発明に直接関係しないものに関しては、記述および説明を省略する。
【００３４】
図１９は、従来のＤ−ＶＨＳ内蔵デジタル放送受信装置において、通常再生用ＰＭＴ（図１９（ａ））および特殊再生用ＰＭＴ（図１９（ｂ））の例から、映像ストリーム情報に記述されたＥＳ＿ＰＩＤとストリーム識別との対応関係を抜粋し、ＥＳ関連情報の記載順に示す。図１９（ａ）は、パーシャルＴＳに含まれる通常再生用ＰＭＴにおける対応関係５４１を示し、図１９（ｂ）は、制御部５１２により作成される特殊再生用ＰＭＴにおける対応関係５４２を示す。図１９（ｃ）は、特殊再生用ＰＭＴに含まれる各ＥＳ関連情報にストリーム識別が割り付けられた結果を示す。
【００３５】
図１９に示される例では、パーシャルＴＳには、ＶｉｄｅｏＣ、ＶｉｄｅｏＤ、およびＶｉｄｅｏＥの３つの映像ストリームが含まれ、各映像ストリームを格納するパケットのＥＳ＿ＰＩＤは、それぞれ、０ｘ１００、０ｘ１０１、および０ｘ１０２であり、各映像ストリームのストリーム識別は、それぞれ、０ｘ００、０ｘ０１、および０ｘ０２であるとする。また、特殊再生用ストリームは、パーシャルＴＳと同じだけの映像ストリームを含むものとする。
【００３６】
なお、通常、通常再生用ＰＭＴに含まれるＥＳ関連情報には、ストリーム識別とＥＳ＿ＰＩＤが含まれるが、特殊再生用ＰＭＴに含まれるＥＳ関連情報には、ＥＳ＿ＰＩＤは含まれるがストリーム識別は含まれない。
【００３７】
通常、トランスポート・デコーダは、通常再生用ＰＭＴを作成する際、映像ストリームに関するＥＳ関連情報のうち視聴対象のものを先頭に記述する。そのため、通常再生用ＰＭＴにおけるＥＳ関連情報の順番は一定でない。本例では、通常再生用ＰＭＴにおいて各ＥＳ関連情報は、ＶｉｄｅｏＤ、ＶｉｄｅｏＣ、ＶｉｄｅｏＥの順番に記述されているとする。
【００３８】
ここで、通常、トランスポート・デコーダは、ＰＭＴに記述されたＥＳ関連情報を参照し、所望の映像ストリームを表すストリーム識別を指標として、所望の映像ストリームを格納するパケットのＥＳ＿ＰＩＤを読み取る。従って、ストリーム識別とＥＳ＿ＰＩＤとの対応関係が、ＰＭＴから読み取れることが必要とされる。
【００３９】
一方、上記のとおり、特殊再生用ＰＭＴには、最低限必要なものだけが記述され、ストリーム識別を始め、その他の情報でも記述されないものがある。そのため、従来のトランスポート・デコーダは、ＰＭＴに記述された各ＥＳ関連情報にストリーム識別が記述されていない場合、各ＥＳ関連情報に対して、ＰＭＴに記述されている順に従って、ストリーム識別を小さな値から割り付ける。このようにして、ＰＭＴにストリーム識別が記述されていない場合には、ストリーム識別とＥＳ＿ＰＩＤとの対応が、その正誤にかかわらず自動的に決定される。
【００４０】
【特許文献１】
特表２００１−５０２８５４号公報
【００４１】
【発明が解決しようとする課題】
Ｄ−ＶＨＳ内蔵デジタル放送受信装置において、ある番組が視聴されている間に、通常再生と特殊再生との間で再生状態が切り替えられたときに、画像デコーダ１０６において、通常再生時と高速再生時とで同一の映像ストリームが再生されるためには、再生される映像ストリームを格納するパケットのＥＳ＿ＰＩＤが同一でなければならない。しかしながら、従来のＤ−ＶＨＳ内蔵デジタル放送受信装置においては、ＥＳ＿ＰＩＤが異なるために、通常再生時と特殊再生時とで再生される映像ストリームが異なるという問題が生じ得る。
【００４２】
例えば、従来のＤ−ＶＨＳ内蔵デジタル放送受信装置において、パーシャルＴＳ３１には、対応関係５４１を有する通常再生用ＰＭＴが含まれ、特殊再生用ストリームＳ３２には、対応関係５４２を有する特殊再生用ＰＭＴが含まれるとする。さらに、ストリーム識別が０ｘ０１であるＶｉｄｅｏＤが視聴されている間に、通常再生から特殊再生に再生状態が切り替えられるとする。
【００４３】
通常、トランスポート・デコーダは、通常再生用ＰＭＴを作成する際、映像ストリームに関するＥＳ関連情報のうち視聴対象のものを先頭に記述する。そのため、通常再生用ＰＭＴにおけるＥＳ関連情報の順番は一定でない。本例では、通常再生用ＰＭＴにおいて各ＥＳ関連情報は、ＶｉｄｅｏＤ、ＶｉｄｅｏＣ、ＶｉｄｅｏＥの順番に記述されているとする。
【００４４】
通常、特殊再生時には、制御部からデジタルＩ／Ｆを通じてトランスポート・デコーダに、特殊再生用ストリームが入力される。特殊再生用ＰＭＴにはストリーム識別が記述されていない。ＰＭＴに記述された各ＥＳ関連情報にストリーム識別が記述されていない場合、ランスポート・デコーダは、各ＥＳ関連情報に対して、ＰＭＴに記述されている順に従って、ストリーム識別を小さな値から割り付ける。
【００４５】
本例において、特殊再生用ＰＭＴに含まれるＥＳ関連情報にストリーム識別が割り付けられた結果は、図１９（ｃ）に示される。図１９（ｃ）は、特殊再生用ＰＭＴの各ＥＳ関連情報にストリーム識別が割り付けられて得られた、ストリーム識別とＥＳ＿ＰＩＤとの対応関係を示す。図１９（ｃ）に示されるように、トランスポート・デコーダ５０４は、ＥＳ＿ＰＩＤが０ｘ１０１であるＥＳ関連情報に、ストリーム識別として０ｘ００を、ＥＳ＿ＰＩＤが０ｘ１００であるＥＳ関連情報に、ストリーム識別として０ｘ０１を、ＥＳ＿ＰＩＤが０ｘ１０２であるＥＳ関連情報に、ストリーム識別として０ｘ０２を割り付ける。
【００４６】
本例では、例えば、図１９（ａ）に示されるように、通常再生用ＰＭＴのストリーム識別０ｘ０１に対応するＥＳ＿ＰＩＤは０ｘ１０１であり、かつ、図１９（ｃ）に示されるように高速再生時における割付結果では、ストリーム識別０ｘ０１に対応するＥＳ＿ＰＩＤは０ｘ１００である。つまり、通常再生時と高速再生時とで同じストリーム識別を選択しても、それぞれに対応するＥＳ＿ＰＩＤが異なるため、異なる映像ストリームが再生される。
【００４７】
それ故に、本発明は、ある番組が視聴されている間に、通常再生から特殊再生に再生状態が切り替えられた場合であっても、通常再生時と特殊再生時と同じ映像ストリームを再生できるトランスポートストリーム記録装置、再生装置および処理装置、並びに方法を提供することを目的とする。
【００４８】
【課題を解決するための手段および発明の効果】
第１の発明は、入力されたトランスポートストリームに基づき、パーシャルトランスポートストリームと特殊再生用ストリームとを作成して記録するトランスポートストリーム記録装置であって、トランスポートストリームを入力する手段と、トランスポートストリームに基づき、パーシャルトランスポートストリームを作成する手段と、トランスポートストリームおよびパーシャルトランスポートストリームのいずれかに含まれるプログラムマップテーブルに基づき、当該プログラムマップテーブルに含まれる映像ストリーム情報からストリーム識別子を除去したうえで、除去したストリーム識別子の値の順に映像ストリーム情報を並べることにより、特殊再生用ストリームに含まれるプログラムマップテーブルを作成するプログラムマップテーブル作成手段と、トランスポートストリームおよびパーシャルトランスポートストリームの少なくとも一方と、プログラムマップテーブル作成手段により作成されたプログラムマップテーブルとに基づき、特殊再生用ストリームを作成する手段と、パーシャルトランスポートストリームと、特殊再生用ストリームとを記録する手段とを備える。
【００４９】
このような第１の発明によれば、トランスポートストリームまたはパーシャルトランスポートストリームから特殊再生用ストリームを作成して記憶する段階で、あらかじめ、映像ストリーム情報の順を入れ替えておくことで、通常再生時と特殊再生時との間の再生状態の切り替え時に、同一映像ストリームが再生される。
【００５０】
第２の発明は、入力された特殊再生用ストリームに含まれる映像ストリームを再生するトランスポートストリーム再生装置であって、パーシャルトランスポートストリームを入力する手段と、入力されたパーシャルトランスポートストリームに含まれるプログラムマップテーブルから、パケット識別子とストリーム識別子との対応関係を抽出して記憶する手段と、パケット識別子を含むがストリーム識別子を含まないプログラムマップテーブルを含む特殊再生用ストリームを入力する手段と、ストリーム識別子の値の指定を受け、記憶した対応関係に基づきパケット識別子の値を取得する手段と、取得されたパケット識別子の値に基づき、特殊再生用ストリームに含まれる一つの映像ストリームを選択する手段と、選択された映像ストリームを再生する手段とを備える。
【００５１】
このような第２の発明によれば、特殊再生用ストリームを再生する段階で、パーシャルトランスポートストリームに含まれる映像ストリーム情報を参照することで、入力される特殊再生用ストリームに含まれる映像ストリーム情報の並び順にかかわらず、通常再生時と特殊再生時との間の再生状態の切り替え時に、同一映像ストリームが再生される。
【００５２】
第３の発明は、入力されたトランスポートストリームに基づき、パーシャルトランスポートストリームを作成するトランスポートストリーム処理装置であって、トランスポートストリームを入力する手段と、トランスポートストリームに含まれるプログラムマップテーブルに基づき、当該プログラムマップテーブルに含まれる映像ストリーム情報を、ストリーム識別子の値の順に並べることにより、パーシャルトランスポートストリームに含まれるプログラムマップテーブルを作成する第１のプログラムマップテーブル作成手段と、トランスポートストリームと、第１のプログラムマップテーブル作成手段により作成されたプログラムマップテーブルとに基づき、パーシャルトランスポートストリームを作成する手段とを備える。
【００５３】
このような第３の発明によれば、トランスポートストリームからパーシャルトランスポートストリームを作成する段階で、あらかじめ、映像ストリーム情報の順を入れ替えておくことで、通常再生時と特殊再生時との間の再生状態の切り替え時に、同一映像ストリームが再生される。
【００５４】
第４の発明は、第３の発明において、パーシャルトランスポートストリームに含まれるプログラムマップテーブルに基づき、当該プログラムマップテーブルに含まれる映像ストリーム情報からストリーム識別子を除去したうえで、映像ストリーム情報が当該プログラムマップテーブルに含まれる順を維持して、特殊再生用ストリームに含まれるプログラムマップテーブルを作成する第２のプログラムマップテーブル作成手段と、パーシャルトランスポートストリームと、第２のプログラムマップテーブル作成手段により作成されたプログラムマップテーブルとに基づき、特殊再生用ストリームを作成する手段とをさらに備える。
【００５５】
このような第４の発明によれば、パーシャルトランスポートストリームから特殊再生用ストリームを作成する段階で、第３の発明によりあらかじめ入れ替えられた映像ストリーム情報の順を維持することで、通常再生時と特殊再生時との間の再生状態の切り替え時に、同一映像ストリームが再生される。
【００５６】
第５の発明は、入力されたパーシャルトランスポートストリームに基づき、特殊再生用ストリームを作成するトランスポートストリーム処理装置であって、第３の発明に係るトランスポートストリーム処理装置により作成されたパーシャルトランスポートストリームを入力する手段と、前記パーシャルトランスポートストリームに含まれ、かつ、映像ストリーム情報がストリーム識別子の値の順に並んだプログラムマップテーブルに基づき、当該プログラムマップテーブルに含まれる映像ストリーム情報からストリーム識別子を除去したうえで、前記映像ストリーム情報が当該プログラムマップテーブルに含まれる順を維持して、特殊再生用ストリームに含まれるプログラムマップテーブルを作成するプログラムマップテーブル作成手段と、前記パーシャルトランスポートストリームと、前記プログラムマップテーブル作成手段により作成されたプログラムマップテーブルとに基づき、特殊再生用ストリームを作成する手段とを備える。
【００５７】
このような第５の発明によれば、パーシャルトランスポートストリームから特殊再生用ストリームを作成する段階で、第３の発明によりあらかじめストリーム識別の値の順に並べられた映像ストリーム情報の順を維持することで、通常再生時と特殊再生時との間の再生状態の切り替え時に、同一映像ストリームが再生される。
【００５８】
第６の発明は、入力されたパーシャルトランスポートストリームに基づき、特殊再生用ストリームを作成するトランスポートストリーム処理装置であって、パーシャルトランスポートストリームを入力する手段と、パーシャルトランスポートストリームに含まれるプログラムマップテーブルに基づき、当該プログラムマップテーブルに含まれる映像ストリーム情報からストリーム識別子を除去したうえで、除去したストリーム識別子の値の順に映像ストリーム情報を並べることにより、特殊再生用ストリームに含まれるプログラムマップテーブルを作成するプログラムマップテーブル作成手段と、パーシャルトランスポートストリームと、プログラムマップテーブル作成手段により作成されたプログラムマップテーブルとに基づき、特殊再生用ストリームを作成する手段とを備える。
【００５９】
このような第６の発明によれば、パーシャルトランスポートストリームから特殊再生用ストリームを作成する段階で、あらかじめ、映像ストリーム情報の順を入れ替えておくことで、通常再生時と特殊再生時との間の再生状態の切り替え時に、同一映像ストリームが再生される。
【００６０】
第７の発明は、入力されたトランスポートストリームに基づき、パーシャルトランスポートストリームと特殊再生用ストリームとを作成して記録するトランスポートストリーム記録方法であって、トランスポートストリームを入力するステップと、トランスポートストリームに基づき、パーシャルトランスポートストリームを作成するステップと、トランスポートストリームおよびパーシャルトランスポートストリームのいずれかに含まれるプログラムマップテーブルに基づき、当該プログラムマップテーブルに含まれる映像ストリーム情報からストリーム識別子を除去したうえで、除去したストリーム識別子の値の順に映像ストリーム情報を並べることにより、特殊再生用ストリームに含まれるプログラムマップテーブルを作成するプログラムマップテーブル作成ステップと、トランスポートストリームおよびパーシャルトランスポートストリームの少なくとも一方と、プログラムマップテーブル作成ステップにより作成されたプログラムマップテーブルとに基づき、特殊再生用ストリームを作成するステップと、パーシャルトランスポートストリームと、特殊再生用ストリームとを記録するステップとを備える。
【００６１】
このような第７の発明によれば、パーシャルトランスポートストリームから特殊再生用ストリームを作成して記録する段階で、あらかじめ、映像ストリーム情報を入れ替えておくことで、再生状態の切り替え時に、同一映像ストリームが再生される。
【００６２】
第８の発明は、入力された特殊再生用ストリームに含まれる映像ストリームを再生するトランスポートストリーム再生方法であって、パーシャルトランスポートストリームを入力するステップと、入力されたパーシャルトランスポートストリームに含まれるプログラムマップテーブルから、パケット識別子とストリーム識別子との対応関係を抽出して記憶するステップと、パケット識別子を含むがストリーム識別子を含まないプログラムマップテーブルを含む特殊再生用ストリームを入力するステップと、ストリーム識別子の値の指定を受け、記憶した対応関係に基づきパケット識別子の値を取得するステップと、取得されたパケット識別子の値に基づき、特殊再生用ストリームに含まれる一つの映像ストリームを選択するステップと、選択された映像ストリームを再生するステップとを備える。
【００６３】
このような第８の発明によれば、特殊再生用ストリームを再生する段階で、パーシャルトランスポートストリームに含まれる映像ストリーム情報を参照することで、入力される特殊再生用ストリームに含まれる映像ストリーム情報の並び順にかかわらず、再生状態の切り替え時に、同一映像ストリームが再生される。
【００６４】
第９の発明は、入力されたトランスポートストリームに基づき、パーシャルトランスポートストリームを作成するトランスポートストリーム処理方法であって、トランスポートストリームを入力するステップと、トランスポートストリームに含まれるプログラムマップテーブルに基づき、当該プログラムマップテーブルに含まれる映像ストリーム情報を、ストリーム識別子の値の順に並べることにより、パーシャルトランスポートストリームに含まれるプログラムマップテーブルを作成する第１のプログラムマップテーブル作成ステップと、トランスポートストリームと、第１のプログラムマップテーブル作成ステップにより作成されたプログラムマップテーブルとに基づき、パーシャルトランスポートストリームを作成するステップとを備える。
【００６５】
このような第９の発明によれば、トランスポートストリームからパーシャルトランスポートストリームを作成する段階で、あらかじめ、映像ストリーム情報を入れ替えておくことで、再生状態の切り替え時に、同一映像ストリームが再生される。
【００６６】
第１０の発明は、第９の発明において、パーシャルトランスポートストリームに含まれるプログラムマップテーブルに基づき、当該プログラムマップテーブルに含まれる映像ストリーム情報からストリーム識別子を除去したうえで、映像ストリーム情報が当該プログラムマップテーブルに含まれる順を維持して、特殊再生用ストリームに含まれるプログラムマップテーブルを作成する第２のプログラムマップテーブル作成ステップと、パーシャルトランスポートストリームと、第２のプログラムマップテーブル作成ステップにより作成されたプログラムマップテーブルとに基づき、特殊再生用ストリームを作成するステップとをさらに備える。
【００６７】
このような第１０の発明によれば、パーシャルトランスポートストリームから特殊再生用ストリームを作成する段階で、第９の発明によりあらかじめ入れ替えられた映像ストリーム情報の順を維持することで、通常再生時と特殊再生時との間の再生状態の切り替え時に、同一映像ストリームが再生される。
【００６８】
第１１の発明は、入力されたパーシャルトランスポートストリームに基づき、特殊再生用ストリームを作成するトランスポートストリーム処理方法であって、第９の発明に係るトランスポートストリーム処理方法により作成されたパーシャルトランスポートストリームを入力するステップと、パーシャルトランスポートストリームに含まれ、かつ、映像ストリーム情報がストリーム識別子の値の順に並んだプログラムマップテーブルに基づき、当該プログラムマップテーブルに含まれる映像ストリーム情報からストリーム識別子を除去したうえで、映像ストリーム情報が当該プログラムマップテーブルに含まれる順を維持して、特殊再生用ストリームに含まれるプログラムマップテーブルを作成するプログラムマップテーブル作成ステップと、パーシャルトランスポートストリームと、プログラムマップテーブル作成手段により作成されたプログラムマップテーブルとに基づき、特殊再生用ストリームを作成するステップとを備える。
【００６９】
このような第１１の発明によれば、パーシャルトランスポートストリームから特殊再生用ストリームを作成する段階で、第９の発明によりあらかじめストリーム識別の値の順に並べられた映像ストリーム情報の順を維持することで、通常再生時と特殊再生時との間の再生状態の切り替え時に、同一映像ストリームが再生される。
【００７０】
第１２の発明は、入力されたパーシャルトランスポートストリームに基づき、特殊再生用ストリームを作成するトランスポートストリーム処理方法であって、パーシャルトランスポートストリームを入力するステップと、パーシャルトランスポートストリームに含まれるプログラムマップテーブルに基づき、当該プログラムマップテーブルに含まれる映像ストリーム情報からストリーム識別子を除去したうえで、除去したストリーム識別子の値の順に映像ストリーム情報を並べることにより、特殊再生用ストリームに含まれるプログラムマップテーブルを作成するプログラムマップテーブル作成ステップと、パーシャルトランスポートストリームと、プログラムマップテーブル作成ステップにより作成されたプログラムマップテーブルとに基づき、特殊再生用ストリームを作成するステップとを備える。
【００７１】
このような第１２の発明によれば、パーシャルトランスポートストリームから特殊再生用ストリームを作成して再生する段階で、あらかじめ、映像ストリーム情報を入れ替えておくことで、再生状態の切り替え時に、同一映像ストリームが再生される。
【００７２】
第１３の発明は、コンピュータに、入力されたトランスポートストリームに基づき、パーシャルトランスポートストリームと特殊再生用ストリームとを作成させて記録させるためのプログラムであって、トランスポートストリームを入力するステップと、トランスポートストリームに基づき、パーシャルトランスポートストリームを作成するステップと、トランスポートストリームおよびパーシャルトランスポートストリームのいずれかに含まれるプログラムマップテーブルに基づき、当該プログラムマップテーブルに含まれる映像ストリーム情報からストリーム識別子を除去したうえで、除去したストリーム識別子の値の順に映像ストリーム情報を並べることにより、特殊再生用ストリームに含まれるプログラムマップテーブルを作成するプログラムマップテーブル作成ステップと、トランスポートストリームおよびパーシャルトランスポートストリームの少なくとも一方と、プログラムマップテーブル作成ステップにより作成されたプログラムマップテーブルとに基づき、特殊再生用ストリームを作成するステップと、パーシャルトランスポートストリームと、特殊再生用ストリームとを記憶手段に記録させるステップとをコンピュータに実行させる。
【００７３】
このような第１３の発明によれば、パーシャルトランスポートストリームから特殊再生用ストリームを作成して記録する段階で、あらかじめ、映像ストリーム情報を入れ替えておくことで、再生状態の切り替え時に、同一映像ストリームが再生される。
【００７４】
第１４の発明は、コンピュータに、入力された特殊再生用ストリームに含まれる映像ストリームを再生させる再生プログラムであって、パーシャルトランスポートストリームを入力するステップと、入力されたパーシャルトランスポートストリームに含まれるプログラムマップテーブルから、パケット識別子とストリーム識別子との対応関係を抽出して記憶するステップと、パケット識別子を含むがストリーム識別子を含まないプログラムマップテーブルを含む特殊再生用ストリームを入力するステップと、ストリーム識別子の値の指定を受け、記憶した対応関係に基づきパケット識別子の値を取得するステップと、取得されたパケット識別子の値に基づき、特殊再生用ストリームに含まれる一つの映像ストリームを選択するステップと、選択された映像ストリームを再生手段を用いて再生するステップとをコンピュータに実行させる。
【００７５】
このような第１４の発明によれば、特殊再生用ストリームを再生する段階で、パーシャルトランスポートストリームに含まれる映像ストリーム情報を参照することで、入力される特殊再生用ストリームに含まれる映像ストリーム情報の並び順にかかわらず、再生状態の切り替え時に、同一映像ストリームが再生される。
【００７６】
第１５の発明は、コンピュータに、入力されたトランスポートストリームに基づき、パーシャルトランスポートストリームを作成させるプログラムであって、トランスポートストリームを入力するステップと、トランスポートストリームに含まれるプログラムマップテーブルに基づき、当該プログラムマップテーブルに含まれる映像ストリーム情報を、ストリーム識別子の値の順に並べることにより、パーシャルトランスポートストリームに含まれるプログラムマップテーブルを作成する第１のプログラムマップテーブル作成ステップと、トランスポートストリームと、第１のプログラムマップテーブル作成ステップにより作成されたプログラムマップテーブルとに基づき、パーシャルトランスポートストリームを作成するステップとをコンピュータに実行させる。
【００７７】
このような第１５の発明によれば、トランスポートストリームからパーシャルトランスポートストリームを作成する段階で、あらかじめ、映像ストリーム情報を入れ替えておくことで、再生状態の切り替え時に、同一映像ストリームが再生される。
【００７８】
第１６の発明は、第１５の発明において、パーシャルトランスポートストリームに含まれるプログラムマップテーブルに基づき、当該プログラムマップテーブルに含まれる映像ストリーム情報からストリーム識別子を除去したうえで、映像ストリーム情報が当該プログラムマップテーブルに含まれる順を維持して、特殊再生用ストリームに含まれるプログラムマップテーブルを作成する第２のプログラムマップテーブル作成ステップと、パーシャルトランスポートストリームと、第２のプログラムマップテーブル作成ステップにより作成されたプログラムマップテーブルとに基づき、特殊再生用ストリームを作成するステップとをコンピュータにさらに実行させる。
【００７９】
このような第１６の発明によれば、パーシャルトランスポートストリームから特殊再生用ストリームを作成する段階で、第１５の発明によりあらかじめ入れ替えられた映像ストリーム情報の順を維持することで、通常再生時と特殊再生時との間の再生状態の切り替え時に、同一映像ストリームが再生される。
【００８０】
第１７の発明は、コンピュータに、入力されたパーシャルトランスポートストリームに基づき、特殊再生用ストリームを作成させるプログラムであって、第１５の発明に係るプログラムがコンピュータに作成させたパーシャルトランスポートストリームを入力するステップと、パーシャルトランスポートストリームに含まれ、かつ、映像ストリーム情報がストリーム識別子の値の順に並んだプログラムマップテーブルに基づき、当該プログラムマップテーブルに含まれる映像ストリーム情報からストリーム識別子を除去したうえで、映像ストリーム情報が当該プログラムマップテーブルに含まれる順を維持して、特殊再生用ストリームに含まれるプログラムマップテーブルを作成するプログラムマップテーブル作成ステップと、パーシャルトランスポートストリームと、プログラムマップテーブル作成手段により作成されたプログラムマップテーブルとに基づき、特殊再生用ストリームを作成するステップとをコンピュータに実行させる。
【００８１】
このような第１７の発明によれば、パーシャルトランスポートストリームから特殊再生用ストリームを作成する段階で、第１５の発明によりあらかじめストリーム識別の値の順に並べられた映像ストリーム情報の順を維持することで、通常再生時と特殊再生時との間の再生状態の切り替え時に、同一映像ストリームが再生される。
【００８２】
第１８の発明は、コンピュータに、入力されたパーシャルトランスポートストリームに基づき、特殊再生用ストリームを作成させるプログラムであって、パーシャルトランスポートストリームを入力するステップと、パーシャルトランスポートストリームに含まれるプログラムマップテーブルに基づき、当該プログラムマップテーブルに含まれる映像ストリーム情報からストリーム識別子を除去したうえで、除去したストリーム識別子の値の順に映像ストリーム情報を並べることにより、特殊再生用ストリームに含まれるプログラムマップテーブルを作成するプログラムマップテーブル作成ステップと、パーシャルトランスポートストリームと、プログラムマップテーブル作成ステップにより作成されたプログラムマップテーブルとに基づき、特殊再生用ストリームを作成するステップとをコンピュータに実行させる。
【００８３】
このような第１８の発明によれば、パーシャルトランスポートストリームから特殊再生用ストリームを作成して再生する段階で、あらかじめ、映像ストリーム情報を入れ替えておくことで、再生状態の切り替え時に、同一映像ストリームが再生される。
【００８４】
第１９の発明は、第１３から第１８までのいずれかの発明に係るプログラムを記録した、コンピュータ読み取り可能な記録媒体。
【００８５】
このような第１９の発明によれば、パーシャルトランスポートストリームまたは特殊再生用ストリームを作成、記録または再生する段階で、あらかじめ、映像ストリーム情報を入れ替え、または映像ストリーム情報にストリーム識別を割り当てることで、再生状態の切り替え時に、同一映像ストリームが再生される。
【００８６】
【発明の実施の形態】
（第１の実施形態）
本発明の第１の実施形態に係るＤ−ＶＨＳ内蔵デジタル放送受信装置について、図１〜図３を参照して説明する。図１は、本実施形態に係るＤ−ＶＨＳ内蔵デジタル放送受信装置の構成、および受信したデジタル放送を記録するときのデータの流れを示す図である。本実施形態に係るＤ−ＶＨＳ内蔵デジタル放送受信装置１００は、受信したデジタル放送ストリームを記録するときに、従来のＤ−ＶＨＳ内蔵デジタル放送受信装置５００（図１４）とは異なる処理を行う。この処理は制御部１１２によって行われる。
【００８７】
図２は、本実施形態に係るＤ−ＶＨＳ内蔵デジタル放送受信装置において、受信したデジタル放送ストリームに含まれる映像ストリームを記録するときの、制御部１１２の動作を示すフローチャートである。以下、図２を用いて、本処理の内容を説明する。
【００８８】
制御部１１２は、トランスポート・デコーダ１０４からデジタルＩ／Ｆ１１５を通じてパーシャルＴＳ３１を入力として受ける（ステップＳ１０１）。次に、制御部１１２は、入力されたパーシャルＴＳ３１からＰＭＴを抽出する（ステップＳ１０２）。次に、制御部１１２は、ステップＳ１０２で抽出したＰＭＴから映像ストリームに関するＥＳ関連情報のみを抽出する（ステップＳ１０３）。
【００８９】
次に、制御部１１２は、ステップＳ１０３で抽出したＥＳ関連情報から、特殊再生用ＰＭＴに必要な情報以外を除去する（ステップＳ１０４）。ステップＳ１０４では、ストリーム識別も除去される。次に、制御部１１２は、ＥＳ関連情報に記述されているストリーム識別の値の小さい順に、ＥＳ関連情報を並び替えることにより、特殊再生用ＰＭＴを作成する（ステップＳ１０５）。
【００９０】
次に、制御部１１２は、ステップＳ１０５で作成した特殊再生用ＰＭＴを、別途作成した特殊再生用ストリームに多重する（ステップＳ１０６）。次に、制御部１１２は、入力されたパーシャルＴＳ３１をそのまま、Ｄ−ＶＨＳ装置１１６に装着された記憶メディア（テープ）内にあるＭａｉｎ−ｃｏｄｅ領域に記録する（ステップＳ１０７）。次に、制御部１１２は、ステップＳ１０６で得た特殊再生用ストリーム１３２を、Ｄ−ＶＨＳ装置１１６に装着された記憶メディア内にあるＳｕｂ−ｃｏｄｅ領域に記録して（ステップＳ１０８）、本処理を終了する。
【００９１】
なお、Ｄ−ＶＨＳ内蔵デジタル放送受信装置１００と、従来のＤ−ＶＨＳ内蔵デジタル放送受信装置５００とは、以下の点で共通するので、これらの点については説明を省略する。
１）受信したデジタル放送ストリームに含まれる映像ストリームを再生する場合のデータの流れおよび処理内容（図１３を参照）
２）受信したデジタル放送ストリームに含まれる映像ストリームを記録する場合のデータの流れ（但し、制御部１１２による処理内容は異なる）（図１４を参照）
３）Ｄ−ＶＨＳ装置に装着された記録メディアに、パーシャルＴＳと特殊再生用ストリームとが記録されている状態（図１５を参照）
４）記録した映像ストリームを再生する場合のデータの流れおよび処理内容（図１６を参照）
５）作成および記録されるパーシャルＴＳおよび特殊再生用ストリームの構造（但し、特殊再生用ストリームの内容は異なる）（図１７を参照）
６）抽出される通常再生用ＰＭＴおよび作成される高速再生用ＰＭＴの構造（図１８を参照）（但し、特殊再生用ストリームの内容は異なる）
【００９２】
以下、例を用いて、図２に示す処理の結果および効果について説明する。本例では、パーシャルＴＳには、ＶｉｄｅｏＣ、ＶｉｄｅｏＤ、およびＶｉｄｅｏＥの３つの映像ストリームが含まれ、各映像ストリームを格納するパケットのＥＳ＿ＰＩＤは、それぞれ、０ｘ１００、０ｘ１０１、および０ｘ１０２であり、各映像ストリームのストリーム識別は、それぞれ、０ｘ００、０ｘ０１、および０ｘ０２であるとする。また、特殊再生用ストリームは、パーシャルＴＳと同じだけの映像ストリームを含むものとする。
【００９３】
なお、通常、通常再生用ＰＭＴに含まれるＥＳ関連情報には、ストリーム識別とＥＳ＿ＰＩＤが含まれるが、特殊再生用ＰＭＴに含まれるＥＳ関連情報には、ＥＳ＿ＰＩＤは含まれるがストリーム識別は含まれない。
【００９４】
まず、図２に示す処理の結果を説明する。図３は、通常再生用ＰＭＴおよび特殊再生用ＰＭＴ、並びにストリーム識別が割り付けられた結果から、映像ストリームに関するＥＳ関連情報に記述されたＥＳ＿ＰＩＤとストリーム識別との対応関係を抜粋し、ＥＳ関連情報の記載順に示す。図３（ａ）は、パーシャルＴＳ３１に含まれる通常再生用ＰＭＴにおける対応関係１４１を示し、図３（ｂ）は、制御部１１２により作成される特殊再生用ＰＭＴにおける対応関係１４２を示す。図３（ｃ）は、特殊再生用ＰＭＴに含まれる各ＥＳ関連情報にストリーム識別が割り付けられた結果を示す。
【００９５】
通常、トランスポート・デコーダは、通常再生用ＰＭＴを作成する際、映像ストリームに関するＥＳ関連情報のうち視聴対象のものを先頭に記述する。そのため、通常再生用ＰＭＴにおけるＥＳ関連情報の順番は一定でない。本例では、通常再生用ＰＭＴにおいて各ＥＳ関連情報は、ＶｉｄｅｏＤ、ＶｉｄｅｏＣ、ＶｉｄｅｏＥの順番に記述されているとする。
【００９６】
本例では、図２に示す処理の結果、特殊再生用ＰＭＴにおいて各ＥＳ関連情報は、ＶｉｄｅｏＣ、ＶｉｄｅｏＤ、ＶｉｄｅｏＥの順番に記述される。この順番は、通常再生用ＰＭＴにおいて、各ＥＳ関連情報が記述されていた順番とは異なり、ストリーム識別の値の小さい順番である。
【００９７】
次に、図２に示す処理の効果を説明する。Ｄ−ＶＨＳ内蔵デジタル放送受信装置１００において、パーシャルＴＳ３１には、対応関係１４１を有する通常再生用ＰＭＴが含まれ、特殊再生用ストリーム１３２には、対応関係１４２を有する特殊再生用ＰＭＴが含まれているとする。さらに、ストリーム識別が０ｘ０１であるＶｉｄｅｏＤが視聴されている間に、通常再生から特殊再生に再生状態が切り替えられるとする。
【００９８】
通常、特殊再生時には、制御部からデジタルＩ／Ｆを通じてトランスポート・デコーダに、特殊再生用ストリームが入力される。特殊再生用ＰＭＴにはストリーム識別が記述されていない。ＰＭＴに記述された各ＥＳ関連情報にストリーム識別が記述されていない場合、トランスポート・デコーダは、各ＥＳ関連情報に対して、ＰＭＴに記述されている順に従って、ストリーム識別を小さな値から割り付ける。
【００９９】
本例において、特殊再生用ＰＭＴに含まれるＥＳ関連情報にストリーム識別が割り付けられた結果は、図３（ｃ）に示される。図３（ｃ）に示されるように、制御部１１２は、ＥＳ＿ＰＩＤが０ｘ１００であるＥＳ関連情報に、ストリーム識別として０ｘ００を、ＥＳ＿ＰＩＤが０ｘ１０１であるＥＳ関連情報に、ストリーム識別として０ｘ０１を、ＥＳ＿ＰＩＤが０ｘ１０２であるＥＳ関連情報に、ストリーム識別として０ｘ０２を割り付ける。
【０１００】
通常、通常再生から特殊再生に再生状態が切り替えられるとき、画像デコーダにおいて、同一の映像ストリームが再生されるためには、再生される映像ストリームを格納するパケットのＥＳ＿ＰＩＤは、通常再生時と高速再生時とで同一でなければならない。
【０１０１】
本例では、例えば、図３（ａ）に示されるように通常再生用ＰＭＴのストリーム識別０ｘ０１に対応するＥＳ＿ＰＩＤは０ｘ１０１であり、かつ、図３（ｃ）に示されるように高速再生時における割り付け結果では、ストリーム識別０ｘ０１に対応するＥＳ＿ＰＩＤは０ｘ１０１である。つまり、Ｄ−ＶＨＳ内蔵デジタル放送受信装置１００において制御部１１２が、すでにストリーム識別の値の小さい順にＥＳ関連情報を並べているため、通常再生時と高速再生時とで、ストリーム識別とＥＳ＿ＰＩＤとの対応が同一となり、同一の映像ストリームが再生されることとなる。
【０１０２】
以上のように、本実施形態に係るＤ−ＶＨＳ内蔵デジタル放送受信装置によれば、通常再生から特殊再生に切り替えた際に、通常再生時に視聴されていた映像ストリームと同一の映像ストリームが、特殊再生時にも再生される。言い換えると、従来のＤ−ＶＨＳ内蔵デジタル放送受信装置のように、通常再生時と特殊再生時とで、異なる映像ストリームが再生される不都合は起こらない。
【０１０３】
なお、本実施形態に係るＤ−ＶＨＳ内蔵デジタル放送受信装置は、制御部を含むＤ−ＶＨＳビデオ装置と、トランスポート・デコーダを含むデジタル放送受信装置とを、別の装置として構成されてもよい。この場合、装置全体の機能は同じであるため、２つの別装置として構成された装置の説明は省略する。また、トランスポート・デコーダを含むデジタル放送受信装置は、従来のデジタル放送受信装置であってもよい。
【０１０４】
なお、本実施形態では、特殊再生用ＰＭＴに記述されるＥＳ関連情報の順番は、ストリーム識別の値の小さな順であるが、必ずしも値の小さな順に限るものではない。トランスポート・デコーダが特殊再生用ＰＭＴにストリーム識別を割り付ける順番と同一であれば、値の大きな順に記述されてもよく、その他各種の順番、例えば、大きい値と小さい値が交互になる順番、その他種々の所定の関係に従う順番で記述されてもよい。
【０１０５】
また、本実施形態では、トランスポート・デコーダが、入力されたＴＳからパーシャルＴＳを作成した後に、制御部が、パーシャルＴＳから特殊再生用ストリームを作成することとしたが、トランスポート・デコーダの機能と制御部の機能を併せ持つ装置が、入力されたＴＳから直接、特殊再生用ストリームを作成してもよい。この場合、当該装置は、ＴＳに含まれるＰＭＴに基づいて特殊再生用ＰＭＴを作成する。処理内容は本実施形態に係る制御部の処理内容と同様であるので説明を省略する。
【０１０６】
（第２の実施形態）
本発明の第２の実施形態に係るＤ−ＶＨＳ再生装置について、図４〜図６を参照して説明する。図４は、本実施形態に係るＤ−ＶＨＳ再生装置の構成、および記録されたデジタル放送を再生するときのデータの流れを示す図である。
【０１０７】
本実施形態に係るＤ−ＶＨＳ再生装置２００は、第１の実施形態に係るＤ−ＶＨＳ内蔵デジタル放送受信装置１００から、チューナ１０１、復調部１０２、デスクランブラ１０３が除かれ、通常再生用ＰＭＴを記憶したＰＭＴ記憶部２２０が付加されたものである。本実施形態では、通常再生時にパーシャルＴＳから抽出された通常再生用ＰＭＴは、あらかじめＰＭＴ記憶部２２０に記憶される。記憶されたＰＭＴは特殊再生時にトランスポート・デコーダ２０４により参照される。
【０１０８】
本実施形態に係るＤ−ＶＨＳ再生装置２００は、記録した映像ストリームを再生するときに、従来のＤ−ＶＨＳ内蔵デジタル放送受信装置５００（図７）とは異なる処理を行う。この処理はトランスポート・デコーダ２０４によって行われる。
【０１０９】
図５は、本実施形態に係るＤ−ＶＨＳ再生装置において、記録された映像ストリームを再生するときの、トランスポート・デコーダ２０４の動作を示すフローチャートである。以下、図５を用いて、本処理の内容を説明する。
【０１１０】
トランスポート・デコーダ２０４は、Ｄ−ＶＨＳ装置１１６から、デジタルＩ／Ｆ１１５を通じてパーシャルＴＳ３１または特殊再生用ストリーム３２を入力として受け取る（ステップＳ２０１）。次に、トランスポート・デコーダ２０４は、入力されたパーシャルＴＳ３１または特殊再生用ストリーム３２からＰＭＴを抽出する（ステップＳ２０２）。次に、トランスポート・デコーダ２０４は、ステップＳ２０２で抽出したＰＭＴから映像ストリームに関するＥＳ関連情報のみを抽出する（ステップＳ２０３）。
【０１１１】
次に、トランスポート・デコーダ２０４は、ステップＳ２０３で抽出されたＰＭＴにストリーム識別が記述されているか検出する（ステップＳ２０４）。次に、抽出されたＰＭＴにストリーム識別が記述されていない場合、すなわち、抽出されたＰＭＴが特殊再生用ＰＭＴである場合、トランスポート・デコーダ２０４は、通常再生用ＰＭＴが記憶されたＰＭＴ記憶部２２０を参照し、ストリーム識別とＥＳ＿ＰＩＤとの対応関係を読み取る（ステップＳ２０５）。
【０１１２】
トランスポート・デコーダ２０４は、読み取られた対応関係と同一となるように、抽出されたＰＭＴに含まれる各ＥＳ関連情報にストリーム識別を割り付ける（ステップＳ２０６）。割り付けられたストリーム識別は、特殊再生用ＰＭＴに記述されてもよいし、ストリーム識別とＥＳ＿ＰＩＤとの対応関係を別途記憶させてもよい。
【０１１３】
次に、抽出されたＰＭＴにストリーム識別が記述されている場合、または、抽出されたＰＭＴにストリーム識別が割り付けられた場合、トランスポート・デコーダ２０４は、ステップＳ２０２で抽出されたＰＭＴまたはステップＳ２０６で得られた対応関係を参照し、視聴対象の映像ストリームまたは音声ストリームに関するＥＳ関連情報に含まれる、ストリーム識別とＥＳ＿ＰＩＤとの対応関係を読み取り、所望の音声ストリーム３５または映像ストリーム３６を格納するパケットを抽出する（ステップＳ２０７）。次に、トランスポート・デコーダ２０４は、抽出されたパケットを音声デコーダ１０５に出力する（ステップＳ２０８）。
【０１１４】
なお、Ｄ−ＶＨＳ再生装置２００と、従来のＤ−ＶＨＳ内蔵デジタル放送受信装置５００とは、以下の点で共通するので、これらの点については説明を省略する。
１）Ｄ−ＶＨＳ装置に装着された記録メディアに、パーシャルＴＳと特殊再生用ストリームとが記録されている状態（図１５を参照）
２）記録された映像ストリームを再生する場合のデータの流れ（但し、トランスポート・デコーダ２０４による処理内容は異なる）（図１６を参照）
３）パーシャルＴＳおよび特殊再生用ストリームの構造（図１７を参照）
４）通常再生用ＰＭＴおよび高速再生用ＰＭＴの構造（図１８を参照）
【０１１５】
以下、例を用いて、図５に示す処理の結果および効果について説明する。本例では、映像ストリームの種類と、各映像ストリームに対応したストリーム識別およびＥＳ＿ＰＩＤは、第１の実施形態におけるものと同一であるとする。
【０１１６】
図６は、通常再生用ＰＭＴおよび特殊再生用ＰＭＴ、並びにストリーム識別が割り付けられた結果から、映像ストリームに関するＥＳ関連情報に記述されたＥＳ＿ＰＩＤとストリーム識別との対応関係を抜粋し、ＥＳ関連情報の記載順に示す。図６（ａ）は、パーシャルＴＳ３１に含まれる通常再生用ＰＭＴにおける対応関係を示し、図６（ｂ）は、制御部１１２により作成される特殊再生用ＰＭＴにおける対応関係を示す。図６（ｃ）は、特殊再生用ＰＭＴに含まれる各ＥＳ関連情報にストリーム識別が割り付けられた結果を示す。
【０１１７】
通常、トランスポート・デコーダは、通常再生用ＰＭＴを作成する際、映像ストリームに関するＥＳ関連情報のうち視聴対象のものを先頭に記述する。そのため、通常再生用ＰＭＴにおけるＥＳ関連情報の順番は一定でない。また、通常再生用ＰＭＴと特殊再生用ＰＭＴとで、各ＥＳ関連情報の記載順は同一である。本例では、通常再生用ＰＭＴおよび特殊再生用ＰＭＴにおいて、各ＥＳ関連情報は、ともに、ＶｉｄｅｏＤ、ＶｉｄｅｏＣ、ＶｉｄｅｏＥの順番に記述されているとする。
【０１１８】
本例では、図５に示す処理の結果、特殊再生用ＰＭＴに含まれるＥＳ関連情報にストリーム識別が割り付けられた結果は、図３（ｃ）に示される。図３（ｃ）に示されるように、トランスポート・デコーダ２０４は、ＥＳ＿ＰＩＤが０ｘ１００であるＥＳ関連情報に、ストリーム識別として０ｘ００を、ＥＳ＿ＰＩＤが０ｘ１０１であるＥＳ関連情報に、ストリーム識別として０ｘ０１を、ＥＳ＿ＰＩＤが０ｘ１０２であるＥＳ関連情報に、ストリーム識別として０ｘ０２を割り付ける。
【０１１９】
すなわち、本例では、各ＥＳ関連情報が特殊再生用ＰＭＴに記述されている順序にかかわらず、各ＥＳ関連情報におけるストリーム識別とＥＳ＿ＰＩＤとの対応を、通常再生用ＰＭＴにおける対応関係と同一にする。そのため、通常再生時と高速再生時とで、同一の映像ストリームが再生されることとなる。
【０１２０】
以上のように、本実施形態に係るＤ−ＶＨＳ再生装置によれば、通常再生から特殊再生に切り替えた際に、通常再生時に視聴されていた映像ストリームと同一の映像ストリームが、特殊再生時にも再生される。言い換えると、従来のＤ−ＶＨＳ内蔵デジタル放送受信装置のように、通常再生時と特殊再生時とで、異なる映像ストリームが再生される不都合は起こらない。
【０１２１】
なお、Ｄ−ＶＨＳ再生装置は、制御部を含むＤ−ＶＨＳビデオ装置と、トランスポート・デコーダを含むデジタル放送再生装置とを、別の装置として構成されてもよい。この場合、装置全体の機能は同じであるため、２つの別の装置として構成された装置の説明は省略する。さらに、制御部を含むＤ−ＶＨＳビデオ装置は、従来のＤ−ＶＨＳビデオ装置であってもよい。また、Ｄ−ＶＨＳ再生装置は、制御部を含まなくてもよい。
【０１２２】
また、Ｄ−ＶＨＳ再生装置は、デジタル放送ストリームを受信する手段をさらに備えたＤ−ＶＨＳ内蔵デジタル放送受信装置として構成されてもよい。この場合のブロック構成は、図４に示される構成に、チューナ、復調部およびデスクランブラをさらに備えた構成となる。この場合、受信したデジタル放送ストリームに含まれる映像ストリームを再生または記録する場合のデータの流れおよび処理内容は従来のＤ−ＶＨＳ内蔵デジタル放送受信装置５００と共通するため説明を省略する（図１３および図１４を参照）。
【０１２３】
（第３の実施形態）
本発明の第３の実施形態に係るＤ−ＶＨＳ内蔵デジタル放送受信装置について、図７〜図１０を参照して説明する。図７は、本実施形態に係るＤ−ＶＨＳ内蔵デジタル放送受信装置の構成、および受信したデジタル放送を記録するときのデータの流れを示す図である。本実施形態に係るＤ−ＶＨＳ内蔵デジタル放送受信装置３００は、受信したデジタル放送ストリームを記録するときに。従来のＤ−ＶＨＳ内蔵デジタル放送受信装置５００（図１４）とは異なる処理を行う。この処理はトランスポート・デコーダ３０４および制御部３１２によって行われる。
【０１２４】
図８は、本実施形態に係るＤ−ＶＨＳ内蔵デジタル放送受信装置において、受信されたデジタル放送ストリームに含まれる映像ストリームを記録するときの、トランスポート・デコーダ３０４の動作を示すフローチャートである。以下、図８を用いて、本処理内容を説明する。
【０１２５】
トランスポート・デコーダ３０４は、デジタル放送ストリーム３０を入力として受ける（ステップＳ３０１）。次に、トランスポート・デコーダ３０４は、入力されたデジタル放送ストリーム３０からＰＭＴを抽出する（ステップＳ３０２）。次に、トランスポート・デコーダ３０４は、ステップＳ３０２で抽出したＰＭＴから映像ストリームに関するＥＳ関連情報のみを抽出する（ステップＳ３０３）。次に、トランスポート・デコーダ３０４は、ＥＳ関連情報に記述されているストリーム識別の値の小さい順に、ＥＳ関連情報を並び替えることにより、通常再生用ＰＭＴを作成する（ステップＳ３０４）。
【０１２６】
次に、トランスポート・デコーダ３０４は、ステップＳ３０４で作成した通常再生用ＰＭＴを、別途作成したパーシャルＴＳに多重する（ステップＳ３０５）。次に、トランスポート・デコーダ３０４は、ステップＳ１０６で得たパーシャルＴＳ３３１を、デジタルＩ／Ｆ１１５を通じて制御部３１２に出力して（ステップＳ３０６）、本処理を終了する。
図９は、本実施形態に係るＤ−ＶＨＳ内蔵デジタル放送受信装置において、受信したデジタル放送ストリームに含まれる映像ストリームを記録するときの、制御部１１２の動作を示すフローチャートである。以下、図９を用いて、本処理内容を説明する。
【０１２７】
制御部３１２は、トランスポート・デコーダ３０４からデジタルＩ／Ｆ１１５を通じてパーシャルＴＳ３３１を入力として受ける（ステップＳ３１１）。次に、制御部３１２は、入力されたパーシャルＴＳ３３１からＰＭＴを抽出する（ステップＳ３１２）。次に、制御部３１２は、ステップＳ３１２で抽出したＰＭＴから映像ストリームに関するＥＳ関連情報のみを抽出する（ステップＳ３１３）。
【０１２８】
次に、制御部３１２は、ステップＳ３１３で抽出したＥＳ関連情報から特殊再生用ＰＭＴに必要な情報以外を除去する（ステップＳ３１４）。ステップＳ３１４では、ストリーム識別も除去される。次に、制御部１１２は、ＥＳ関連情報を、通常再生用ＰＭＴにおいて記述されている順を維持して、特殊再生用ＰＭＴに記述する（ステップＳ３１５）。
【０１２９】
次に、制御部３１２は、ステップＳ３１５で作成した特殊再生用ＰＭＴを、別途作成した特殊再生用ストリームに多重する（ステップＳ３１６）。次に、制御部３１２は、入力されたパーシャルＴＳ３３１を、Ｄ−ＶＨＳ装置１１６に装着された記憶メディア内にあるＭａｉｎ−ｃｏｄｅ領域に記憶する（ステップＳ３１７）。次に、制御部３１２は、ステップＳ３１６で得た特殊再生用ストリーム３３２を、Ｄ−ＶＨＳ装置１１６に装着された記録メディア内にあるＳｕｂ−ｃｏｄｅ領域に記録して（ステップＳ３１８）、本処理を終了する。
【０１３０】
なお、Ｄ−ＶＨＳ内蔵デジタル放送受信装置３００と、従来のＤ−ＶＨＳ内蔵デジタル放送受信装置５００とは、以下の点で共通するので、これらの点については説明を省略する。
１）受信したデジタル放送ストリームに含まれる映像ストリームを再生する場合のデータの流れおよび処理内容（図１３を参照）
２）受信したデジタル放送ストリームに含まれる映像ストリームを記録する場合のデータの流れ（但し、トランスポート・デコーダ３０４および制御部３１２による処理内容は異なる）（図１４を参照）
３）Ｄ−ＶＨＳ装置に装着された記録メディアに、パーシャルＴＳと特殊再生用ストリームとが記録されている状態（図１５を参照）
４）記録した映像ストリームを再生する場合のデータの流れおよび処理内容（図１６を参照）
５）作成および記録されるパーシャルＴＳおよび特殊再生用ストリームの構造（但し、パーシャルＴＳおよび特殊再生用ストリームの内容は異なる）（図１７を参照）
６）作成および抽出される通常再生用ＰＭＴおよび高速再生用ＰＭＴの構造（但し、パーシャルＴＳおよび特殊再生用ストリームの内容は異なる）（図１８を参照）
【０１３１】
以下、例を用いて、図８および図９に示す処理の結果および効果について説明する。本例では、映像ストリームの種類と、各映像ストリームに対応したストリーム識別およびＥＳ＿ＰＩＤは、第１の実施形態におけるものと同一であるとする。
【０１３２】
まず、図８および図９に示す処理の結果を説明する。図１０は、デジタル放送ストリームから抽出されたＰＭＴ、通常再生用ＰＭＴおよび特殊再生用ＰＭＴから、映像ストリームに関するＥＳ関連情報に記述されたＥＳ＿ＰＩＤとストリーム識別との対応関係を抜粋し、ＥＳ関連情報の記載順に示す。図１０（ａ）は、トランスポート・デコーダ３０４により作成される通常再生用ＰＭＴにおける対応関係を示し、図１０（ｂ）は、制御部３１２により作成される特殊再生用ＰＭＴにおける対応関係を示す。図１０（ｃ）は、特殊再生用ＰＭＴに含まれる各ＥＳ関連情報にストリーム識別が割り付けられた結果を示す。
【０１３３】
従来のＤ−ＶＨＳ内蔵デジタル放送受信装置に係るトランスポート・デコーダは、通常再生用ＰＭＴを作成する際、映像ストリームに関するＥＳ関連情報のうち視聴対象のものを先頭に記述する。そのため、通常再生用ＰＭＴにおけるＥＳ関連情報の順番は一定でない。しかし、本例では、図８に示す処理の結果、通常再生用ＰＭＴにおいて各ＥＳ関連情報は、ストリーム識別の値の小さい順番とされる。
【０１３４】
また、本例では、図９に示す処理の結果、特殊再生用ＰＭＴにおいて各ＥＳ関連情報は、ＶｉｄｅｏＣ、ＶｉｄｅｏＤ、ＶｉｄｅｏＥの順番に記述される。この順番は、通常再生用ＰＭＴにおいて、各ＥＳ関連情報が記述されていた順番と同じであり、ストリーム識別の値の小さい順番である
【０１３５】
図８に示す処理の効果は、第１の実施形態における図２に示す処理の効果と同一であるため、説明を省略する。
【０１３６】
以上のように、本実施形態に係るＤ−ＶＨＳ内蔵デジタル放送受信装置によれば、通常再生から特殊再生に切り替えた際に、通常再生時に視聴されていた映像ストリームと同一の映像ストリームが、特殊再生時にも再生される。言い換えると、従来のＤ−ＶＨＳ内蔵デジタル放送受信装置のように、通常再生時と特殊再生時とで、異なる映像ストリームが再生される不都合は起こらない。
【０１３７】
なお、本実施形態に係るＤ−ＶＨＳ内蔵デジタル放送受信装置は、制御部を含むＤ−ＶＨＳビデオ装置と、トランスポート・デコーダを含むデジタル放送受信装置とを、別の装置として構成されてもよい。この場合、装置全体の機能は同じであるため、２つの別装置として構成された装置の説明は省略する。
【０１３８】
なお、本実施形態では、通常再生用ＰＭＴに記述されるＥＳ関連情報の順番は、ストリーム識別の値の小さな順であるが、必ずしも値の小さな順に限るものではない。トランスポート・デコーダが特殊再生用ＰＭＴにストリーム識別を割り付ける順番と同一であれば、値の大きな順に記述されてもよく、その他各種の順番、例えば、大きい値と小さい値が交互になる順番、その他種々の所定の関係に従う順番で記述されてもよい。
【０１３９】
（第４の実施形態）
本発明の第４の実施形態に係るＤ−ＶＨＳ内蔵デジタル放送受信装置について、図１１〜図１２を参照して説明する。図１１は、本実施形態に係るＤ−ＶＨＳ内蔵デジタル放送受信装置の構成、および受信したデータの流れを示す図である。本実施形態に係るＤ−ＶＨＳ内蔵デジタル放送受信装置４００は、記録した映像ストリームを再生するときに、従来のＤ−ＶＨＳ内蔵デジタル放送受信装置５００（図７）とは異なる処理を行う。この処理は制御部４１２によって行われる。
【０１４０】
従来のＤ−ＶＨＳ内蔵デジタル放送受信装置５００における特殊再生時には、図１６に示されるように制御部５１２は、Ｄ−ＶＨＳ装置１１６に記録された特殊再生用ストリーム３２を読み出す。一方、本実施形態に係るＤ−ＶＨＳ内蔵デジタル放送受信装置４００を構成するＤ−ＶＨＳ装置１１６には、特殊再生用ストリームが記録されない場合がある。そのため、同一の方法での特殊再生は実行できない。
【０１４１】
図１２は、本実施形態に係るＤ−ＶＨＳ内蔵デジタル放送受信装置において、記録した映像ストリームを特殊再生するときの、制御部４１２の動作を示すフローチャートである。以下、図１２を用いて、本処理の内容を説明する。
【０１４２】
制御部４１２は、Ｄ−ＶＨＳ装置１１６に記憶されたパーシャルＴＳ３１を入力として受ける（ステップＳ４０１）。次に、制御部４１２は、入力されたパーシャルＴＳ３１からＰＭＴを抽出する（ステップＳ４０２）。次に、制御部４１２は、ステップＳ４０２で抽出したＰＭＴから映像ストリームに関するＥＳ関連情報のみを抽出する（ステップＳ４０３）。
【０１４３】
次に、制御部４１２は、ステップＳ４０３で抽出したＥＳ関連情報から、特殊再生用ＰＭＴに必要な情報以外を除去する（ステップＳ４０４）。ステップＳ４０４では、ストリーム識別も除去される。次に、制御部４１２は、ＥＳ関連情報に記述されているストリーム識別の値の小さい順に、ＥＳ関連情報を並び替えることにより、特殊再生用ＰＭＴを作成する（ステップＳ４０５）。
【０１４４】
次に、制御部４１２は、ステップＳ４０５で作成した特殊再生用ＰＭＴを、別途作成した特殊再生用ストリームに多重する（ステップＳ４０６）。次に、制御部４１２は、ステップＳ４０６で得た特殊再生用ストリーム４３２を、デジタルＩ／Ｆ１１５を通じて出力して（ステップＳ４０７）、本処理を終了する。
【０１４５】
なお、Ｄ−ＶＨＳ内蔵デジタル放送受信装置４００と、従来のＤ−ＶＨＳ内蔵デジタル放送受信装置５００とは、以下の点で共通するので、これらの点については説明を省略する。
１）受信したデジタル放送ストリームに含まれる映像ストリームを再生する場合のデータの流れおよび処理内容（図１３を参照）
２）受信したデジタル放送ストリームに含まれる映像ストリームを記録する場合のデータの流れ（但し、特殊再生用ストリームの作成および記録は必要とされない）（図１４を参照）
３）Ｄ−ＶＨＳ装置に装着された記録メディアに、パーシャルＴＳが記録されている状態（図１５を参照）
４）記録した映像ストリームを再生する場合のデータの流れ（但し、制御部４１２による処理内容は異なる）（図１６を参照）
５）パーシャルＴＳおよび特殊再生用ストリームの構造（但し、特殊再生用ストリームの内容は異なる）（図１７を参照）
６）通常再生用ＰＭＴおよび高速再生用ＰＭＴの構造（但し、特殊再生用ストリームの内容は異なる）（図１８を参照）
【０１４６】
なお、Ｄ−ＶＨＳ内蔵デジタル放送受信装置４００は、Ｄ−ＶＨＳ装置１１６に特殊再生用ストリームを記録しない。そのため、Ｄ−ＶＨＳ装置１１６に装着された記録メディアにＳｕｂ−ｃｏｄｅ領域は存在しなくてもよく、Ｓｕｂ−ｃｏｄｅ領域が存在する場合、Ｓｕｂ−ｃｏｄｅ領域は、特殊再生用ストリームの記録以外の目的に使用されてもよい。
【０１４７】
通常再生用ＰＭＴ、特殊再生用ＰＭＴおよびストリーム識別が割り付けられた結果は、第１の実施形態における図３に示されるものと共通する。すなわち、図１２に示す処理の結果および効果は、第１の実施形態における図２に示す処理の結果および効果と共通であるため、説明を省略する。
【０１４８】
以上のように、本実施形態に係るＤ−ＶＨＳ内蔵デジタル放送受信装置によれば、通常再生から特殊再生に切り替えた際に、通常再生時に視聴されていた映像ストリームと同一の映像ストリームが、特殊再生時にも再生される。言い換えると、従来のＤ−ＶＨＳ内蔵デジタル放送受信装置のように、通常再生時と特殊再生時とで、異なる映像ストリームが再生される不都合は起こらない。
【０１４９】
なお、本実施形態に係るＤ−ＶＨＳ内蔵デジタル放送受信装置は、制御部を含むＤ−ＶＨＳビデオ装置と、トランスポート・デコーダを含むデジタル放送受信装置とを、別の装置として構成されてもよい。この場合、装置全体の機能は同じであるため、２つの別装置として構成された装置の説明は省略する。さらに、トランスポート・デコーダを含むデジタル放送受信装置は、従来のデジタル放送受信装置であってもよい。また、Ｄ−ＶＨＳ内蔵デジタル放送受信装置は、トランスポート・デコーダを含まなくてもよい。
【０１５０】
なお、本実施形態では、特殊再生用ＰＭＴに記述されるＥＳ関連情報の順番は、ストリーム識別の値の小さな順であるが、必ずしも値の小さな順に限るものではない。トランスポート・デコーダが特殊再生用ＰＭＴにストリーム識別を割り付ける順番と同一であれば、値の大きな順に記述されてもよく、その他各種の順番、例えば、大きい値と小さい値が交互になる順番、その他種々の所定の関係に従う順番で記述されてもよい。
【０１５１】
（その他の実施形態）
その他の実施形態では、コンピュータと、そのコンピュータに第１から第４までのいずれかの実施形態に係る処理を実行させるプログラムとが、協働して実施してもよい。また、コンピュータに第１から第４までのいずれかの実施形態に係る処理を実行させるプログラムが、そのコンピュータによって読み取り可能な記録媒体に記録されていてもよい。
【０１５２】
また、第１から第４までの実施形態において、パーシャルＴＳおよび特殊再生用ストリームを記録する記録部は、デジタルＶＨＳビデオ装置（Ｄ−ＶＨＳ装置１１６）である。しかし、必ずしもＤ−ＶＨＳ装置またはこのようなテープ状の記録媒体を用いるものに限るものではない。記憶部は、ＨＤＤ（ハードディスク・ドライブ）や、ＡＶＨＤＤ（オーディオ／ビデオ用ＨＤＤ）、ＣＤ−ＲＷ、ＭＯ、ＤＶＤを始めとする、ディスク状の形態を有し、磁気的または電気的、光学的、その他の方法、あるいはこれらの組み合わせによって情報を記録および読み出しできる記録媒体を用いるものであってもよい。
【０１５３】
記録部が、このようなテープ状以外の記録媒体を用いたものである場合、図１５に示されるように、記録部がＭａｉｎ−ｃｏｄｅ領域とＳｕｂ−ｃｏｄｅ領域とに分割され、それぞれ、パーシャルＴＳと特殊再生用ストリームとが記録されるとは限られない。例えば、パーシャルＴＳと特殊再生用のストリームとが別のファイルとして、記録媒体に記録され、管理され、読み出しされてもよい。
【図面の簡単な説明】
【図１】第１の実施形態に係るＤ−ＶＨＳ内蔵デジタル放送受信装置の構成、および受信したデジタル放送を記録するときのデータの流れを示す図
【図２】図１に示す装置において、受信した映像ストリームを記録するときの、制御部の動作を示すフローチャート
【図３】図２に示す処理に係る、通常再生用ＰＭＴおよび特殊再生用ＰＭＴ、並びにストリーム識別が割り付けられた結果の例から、ストリーム識別とＥＳ＿ＰＩＤとの対応関係を抜粋して示す図
【図４】第２の実施形態に係るＤ−ＶＨＳ再生装置の構成、および記録されたデジタル放送を再生するときのデータの流れを示す図
【図５】図２に示す装置において、記録された映像ストリームを再生するときの、トランスポート・デコーダの動作を示すフローチャート
【図６】図５に示す処理に係る、通常再生用ＰＭＴおよび特殊再生用ＰＭＴ、並びにストリーム識別が割り付けられた結果の例から、ストリーム識別とＥＳ＿ＰＩＤとの対応関係を抜粋して示す図
【図７】第３の実施形態に係るＤ−ＶＨＳ内蔵デジタル放送受信装置の構成、および受信したデジタル放送を記録するときのデータの流れを示す図
【図８】図７に示す装置において、受信した映像ストリームを記録するときの、トランスポート・デコーダの動作を示すフローチャート
【図９】図７に示す装置において、受信した映像ストリームを記録するときの、制御部の動作を示すフローチャート
【図１０】図８および図９に示す処理に係る、通常再生用ＰＭＴおよび特殊再生用ＰＭＴ、並びにストリーム識別が割り付けられた結果の例から、ストリーム識別とＥＳ＿ＰＩＤとの対応関係を抜粋して示す図
【図１１】第４の実施形態に係るＤ−ＶＨＳ内蔵デジタル放送受信装置の構成、および受信したデジタル放送を記録するときのデータの流れを示す図
【図１２】図１１に示す装置において、記録された映像ストリームを特殊再生するときの、制御部の動作を示すフローチャート
【図１３】従来のＤ−ＶＨＳ内蔵デジタル放送受信装置の構成、および受信したデジタル放送を再生するときのデータの流れを示す図
【図１４】従来のＤ−ＶＨＳ内蔵デジタル放送受信装置の構成、および受信したデジタル放送を記録するときのデータの流れを示す図
【図１５】従来のＤ−ＶＨＳ内蔵デジタル放送受信装置において、Ｄ−ＶＨＳ装置に装着された記録メディア（テープ）に、パーシャルＴＳと特殊再生用ストリームが記録されている状態の例を模式的に示す図
【図１６】従来のＤ−ＶＨＳ内蔵デジタル放送受信装置の構成、および記録したデジタル放送を再生するときのデータの流れを示す図
【図１７】従来のＤ−ＶＨＳ内蔵デジタル放送受信装置が作成および記録するパーシャルＴＳおよび特殊再生用ストリームの構造の例を模式的に示す図
【図１８】従来のＤ−ＶＨＳ内蔵デジタル放送受信装置において作成される、通常再生用ＰＭＴおよび特殊再生用ＰＭＴの構造の例を示す図
【図１９】従来のＤ−ＶＨＳ内蔵デジタル放送受信装置において作成される、通常再生用ＰＭＴおよび特殊再生用ＰＭＴの例から、ストリーム識別とＥＳ＿ＰＩＤとの対応関係を抜粋して示す図
【符号の説明】
３０　…　デジタル放送ストリーム
３１、３３１　…　パーシャルＴＳ
３２、１３２、３３２、４３２　…　特殊再生用ストリーム
３３、３５　…　音声ストリーム
３４、３６　…　映像ストリーム
１００、３００、４００　…　Ｄ−ＶＨＳ内蔵デジタル放送受信装置
１０１　…　チューナ
１０２　…　復調部
１０３　…　デスクランブラ
１０４、２０４、３０４　…　トランスポート・デコーダ
１０５　…　音声デコーダ
１０６　…　画像デコーダ
１０７　…　ＣＰＵ
１０８　…　フラッシュＲＯＭ
１０９　…　メインＲＡＭ
１１２、３１２、４１２　…　制御部
１１３　…　スピーカ
１１４　…　モニタ
１１５　…　デジタルＩ／Ｆ
１１６　…　Ｄ−ＶＨＳ装置
１４１、１４２　…　対応関係
１４３　…　割付結果
２００　…　Ｄ−ＶＨＳ再生装置
２２０　…　ＰＭＴ記憶部
【図１】
2004007614.tif 000003
【図２】
2004007614.tif 000004
【図３】
2004007614.tif 000005
【図４】
2004007614.tif 000006
【図５】
2004007614.tif 000007
【図６】
2004007614.tif 000008
【図７】
2004007614.tif 000009
【図８】
2004007614.tif 000010
【図９】
2004007614.tif 000011
【図１０】
2004007614.tif 000012
【図１１】
2004007614.tif 000013
【図１２】
2004007614.tif 000014
【図１３】
2004007614.tif 000015
【図１４】
2004007614.tif 000016
【図１５】
2004007614.tif 000017
【図１６】
2004007614.tif 000018
【図１７】
2004007614.tif 000019
【図１８】
2004007614.tif 000020
【図１９】
2004007614.tif 000021